(57)【特許請求の範囲】
【請求項１】
躯体開口部に固定の四周枠と、該四周枠に開閉揺動自在に設けられるドア体とから構成され、該ドア体は、室内外一対の面板を備え、所定のドア厚を有したものであり、該ドア体には、ドア体の室内外の面板に対向する空間同士を通気する通気路と、該通気路を開放または閉鎖の何れかの状態に切換え保持する切換え手段とにより構成される通気機構が設けられた通気機構付きのドア体を備えたドア装置において、前記通気機構の切換え手段を、ドア体の開閉操作用の操作具とは別に設けられ、ドア体室外側からはキーにより施錠−解錠操作される施錠装置に連繋し、前記施錠装置の施錠操作に伴い通気路を閉鎖状態とし、施錠装置の解錠操作に伴い通気路を開放状態に切換え保持するように構成したことを特徴とする通気機構付きのドア体を備えたドア装置。
【請求項２】
通気機構の切換え手段は、通気路を開閉する通気路開閉部材と、該通気路開閉部材を通気路の開放をする開放姿勢または閉鎖する閉鎖姿勢の何れかの姿勢に切換える作動プレートとを備えて構成し、作動プレートに、施錠装置の施錠−解錠操作に伴い上下方向に変位する作動ロッドを連繋するとともに、作動プレートを付勢弾機により作動ロッドとの連繋部に向けて付勢し、作動ロッドと作動プレートとの連繋を離接自在としたことを特徴とする請求項１に記載の通気機構付きのドア体を備えたドア装置。
【請求項３】
作動ロッドは、施錠装置から作動プレートに至る中間部に、作動プレートを付勢する付勢弾機よりも大きい付勢力を備えた非常用付勢弾機が介装されていることを特徴とする請求項２に記載の通気機構付きのドア体を備えたドア装置。
【請求項４】
通気機構の通気路は、ドア体の下端面に開設した下側開口からドア体の内面板に開設した内側開口に至るように構成され、切換え手段の通気路開閉部材を、下側開口と内側開口とのあいだに位置して設けたことを特徴とする請求項１乃至３の何れか１項に記載の通気機構付きのドア体を備えたドア装置。
【請求項５】
通気機構の下側開口は、内外方向中間部に段差部が形成された下端面に形成され、下端面と床側面との対向間隔を、段差部の外側部位が内側部位よりも広く確保したことを特徴とする請求項４に記載の通気機構付きのドア体を備えたドア装置。
【発明の詳細な説明】
【技術分野】
【０００１】
本発明は、高層建築物、特に、集合住宅等の外部への出入り口部に設けられる通気機構付きのドア体を備えたドア装置の技術分野に関するものである。
【背景技術】
【０００２】
近年、建築物は高気密、高断熱を基本とする建築様式が汎用されており、特に集合住宅のような建築物では、高気密、高断熱が一般化される状態となっている。このように建築物を高気密、高断熱仕様とした場合、建物内（各住居内）において換気扇を使用した場合では建物内が負圧となり、屋外に面して外開き状に設けられる玄関ドアのようなドア装置では、開放操作が重くなるという現象が発生する。特に、二十四時間稼働する換気装置が設置された住宅において、調理等により別途換気装置がさらに稼働しているような場合では、住居内の気圧が一層低下してドア体内外の差圧が大きくなり開放操作がさらに重くなって操作し難くなるが、これに加えてドア体に風圧が作用するような環境下では、子供のように非力な操作者にとってはドア体を開放できないようなことも想定される。
そこで、ドア体に、ドア体の内外を通気する通気路（通気孔）と、該通気路を開閉何れかの状態に切換えて保持する切換え手段とが設けられた通気機構付きのドア装置として、ドア体を開放する際に通気路を開放状態として住居内外の差圧を解消できるようにしたものが提唱されている。
【先行技術文献】
【特許文献】
【０００３】
【特許文献１】特開２０００−１３６６７９号公報
【特許文献２】特開２０１０−１７４５０２号公報
【発明の概要】
【発明が解決しようとする課題】
【０００４】
前記特許文献１のものは、通気路をドア体の内外面板に開設された開口により構成する一方、前記開口の間に位置してドア厚内に設けられ、回転変位することで開口同士を連通状態とする通気姿勢と、連通状態を遮断する遮断姿勢とに変姿する開閉板を切換え手段として構成している。そして、開閉板をドア体の施錠装置に兼用されるグレモン錠の操作ハンドルに連繋し、操作ハンドルの回転操作に伴いドア体の解錠と同時に開閉板が回転して通気姿勢となることで通気路を開放し、ドア体の内外を通気するようにしている。しかるに、このものでは、ドア体を開放操作するべく操作ハンドルを解錠操作（回転操作）するのと同時に通気路による通気がなされる構成となっている。このため、操作ハンドルを回転操作しつつドア体を押し、あるいは、引き操作する一連の操作でドア体を開放しようとした場合に、通気路が通気状態になるのと同時に押し、あるいは、引き操作がなされることになるので、解錠操作から押し、あるいは、引き操作までの時間差が殆どなく、通気路による通気（差圧解消）が充分でないことがあり、このような状態ではドア体の開放操作が重く、円滑な開放操作ができないため、解錠操作から適宜時間差を持って開放しなければならないという問題があり、操作性に劣る。さらに、このものでは、外部に露出するドア体の外側面部に開口が開設されているばかりでなく、開閉板の通気姿勢では前記開口を介して開閉板が臨まれて意匠性に劣るという問題もある。
また、特許文献２のものは、ドア体の一部を切欠いた切欠き部を通気路として構成する一方、切換え手段としてドア体の前記切欠き部を開閉するべくドア厚内においてスライド移動するスライド板を用いて構成し、前記スライド板をロック機構により切欠き部に保持する（ロックする）構成となっている。そして、ドア体を開放操作する場合では、まず、ドア体の施錠装置に兼用可能なロック機構を解除した後、スライド板を手動によりスライド移動させて切欠き部を開放して通気状態とし、その後、ドア体の操作ハンドルを把持してドア体を開放操作するという手順となっており、ロック手段の解除、スライド板の開放操作、ドア体の開放操作という三段階の操作が必要となっている。このため、ドア体を開放操作するまでに内外の差圧を解消する時間が確保できてドア体の開放操作は軽快になるが、三段階の操作が必要になる分、操作性に劣るという問題がある。さらに、このものにおいても、通気路となる開口がドア体の外部に露出する外面板に形成されるため意匠性が損なわれるという問題がある。
そこで、玄関ドアのように日常的に、しかも、老若男女が頻繁に開閉操作することになるドア装置では、内外の差圧の解消が十分に図れて円滑な開放操作ができるとともに、操作性、意匠性に優れ、そのうえ、防犯性、気密性にも優れた通気機構付きのドア装置が提供されることが強く要望され、ここに本発明の解決すべき課題がある。
【課題を解決するための手段】
【０００５】
本発明は、上記の如き実情に鑑みこれらの課題を解決することを目的として創作されたものであって、請求項１の発明は、躯体開口部に固定の四周枠と、該四周枠に開閉揺動自在に設けられるドア体とから構成され、該ドア体は、室内外一対の面板を備え、所定のドア厚を有したものであり、該ドア体には、ドア体の室内外の面板に対向する空間同士を通気する通気路と、該通気路を開放または閉鎖の何れかの状態に切換え保持する切換え手段とにより構成される通気機構が設けられた通気機構付きのドア体を備えたドア装置において、前記通気機構の切換え手段を、ドア体の開閉操作用の操作具とは別に設けられ、ドア体室外側からはキーにより施錠−解錠操作される施錠装置に連繋し、前記施錠装置の施錠操作に伴い通気路を閉鎖状態とし、施錠装置の解錠操作に伴い通気路を開放状態に切換え保持するように構成したことを特徴とする通気機構付きのドア体を備えたドア装置である。
請求項２の発明は、通気機構の切換え手段は、通気路を開閉する通気路開閉部材と、該通気路開閉部材を通気路の開放をする開放姿勢または閉鎖する閉鎖姿勢の何れかの姿勢に切換える作動プレートとを備えて構成し、作動プレートに、施錠装置の施錠−解錠操作に伴い上下方向に変位する作動ロッドを連繋するとともに、作動プレートを付勢弾機により作動ロッドとの連繋部に向けて付勢し、作動ロッドと作動プレートとの連繋を離接自在としたことを特徴とする請求項１に記載の通気機構付きのドア体を備えたドア装置である。
請求項３の発明は、作動ロッドは、施錠装置から作動プレートに至る中間部に、作動プレートを付勢する付勢弾機よりも大きい付勢力を備えた非常用付勢弾機が介装されていることを特徴とする請求項２に記載の通気機構付きのドア体を備えたドア装置である。
請求項４の発明は、通気機構の通気路は、ドア体の下端面に開設した下側開口からドア体の内面板に開設した内側開口に至るように構成され、切換え手段の通気路開閉部材を、下側開口と内側開口とのあいだに位置して設けたことを特徴とする請求項１乃至３の何れか１項に記載の通気機構付きのドア体を備えたドア装置である。
請求項５の発明は、通気機構の下側開口は、内外方向中間部に段差部が形成された下端面に形成され、下端面と床側面との対向間隔を、段差部の外側部位が内側部位よりも広く確保したことを特徴とする請求項４に記載の通気機構付きのドア体を備えたドア装置である。
【発明の効果】
【０００６】
請求項１の発明とすることにより、操作性、防犯性に優れるとともに、ドア体の開放操作を円滑、かつ、軽快に行なうことができる。
請求項２の発明とすることにより、ドア体に通気機構を組込む作業が容易になり、しかも、切換え手段側部材と施錠装置側部材との分割が容易でメンテナンス性に優れる。
請求項３の発明とすることにより、切換え手段の作動不良があっても施錠装置が不作動とならないようにすることができる。
請求項４の発明とすることにより、ドア体の外面板に開口が形成されることがなく、意匠性に優れたドア体とすることができる。
請求項５の発明とすることにより、通気性のさらなる向上が図れて、差圧解消時間を短縮することができる。
【図面の簡単な説明】
【０００７】
【図１】図１（Ａ）、（Ｂ）はそれぞれ通気機構付きのドア装置の正面図、背面図である。
【図２】図２（Ａ）、（Ｂ）はそれぞれ図１（Ａ）のＸ−Ｘ断面図、Ｙ−Ｙ断面図である。
【図３】図３（Ａ）、（Ｂ）、（Ｃ）、（Ｄ）はそれぞれ要部の左側面図、正面図、右側面図、底面図、図３（Ｅ）はベースフレームの底面図である。
【図４】図４（Ａ）、（Ｂ）、（Ｃ）、（Ｄ）、（Ｅ）はそれぞれ切換え装置の左側面図、正面図、右側面図、図４（Ｂ）のＸ−Ｘ断面図、底面図である。
【図５】図３（Ｂ）のＸ−Ｘ断面図である。
【図６】図６（Ａ）は通気機構の閉鎖状態を説明する要部の正面図、図６（Ｂ）は通気機構の通気状態を説明する要部の正面図である。
【図７】図７（Ａ）切換え手段の斜視図、図７（Ｂ）は切換え手段の閉鎖状態を説明する斜視図、図７（Ｃ）は切換え手段の通気状態を説明する斜視図である。
【図８】第二の実施の形態におけるドア装置の内部側からの正面図である。
【図９】図９（Ａ）は第三の実施の形態における通気機構の閉鎖状態を説明する要部の正面図、図９（Ｂ）は第三の実施の形態における通気機構の通気状態を説明する要部の正面図である。
【図１０】第四の実施の形態における通気機構と施錠装置との作用を説明する要部正面図である。
【発明を実施するための形態】
【０００８】
以下、本発明の第一の実施の形態について、図面に基づいて説明する。
図面において、１は集合住宅の玄関口に設けられるドア装置であって、該ドア装置１を構成するドア体２は、躯体の開口部に固定される四周枠３の一側部である戸尻側枠体３ａとのあいだに設けられる上下方向三箇所の丁番４を介して揺動自在に設けられており、開口部を外開き式に開放する全開姿勢と開口部を閉鎖する全閉姿勢とのあいだを開閉揺動するように構成されている。前記ドア体２は、室内外一対（表裏一対）の内、外面板５、６の上下、左右の四周端縁部を適宜折曲することにより、ドア体２の内、外側面部５ａ、６ａと、ドア厚方向の端面（上下左右端面）とが形成されて、内、外側面部５ａ、６ａの対向間にコア材７を介装することにより所定のドア厚を有したものに構成されている。尚、８はドア体２の左右端部および上端部に内装される骨材、６ｂは外側面部６ａの戸先側に折曲形成された召し合わせ部、５ｂは内側面部５ａの戸先側端縁から召し合わせ部６ａに突当てるように折曲して形成された戸先側端面である。
【０００９】
また、ドア体２の内、外側面部５ａ、６ａには、後述するように、施錠−解錠用のラッチボルト９ａが設けられ、本発明の開閉操作用の操作具に相当する把手９（操作具）がそれぞれ設けられている。さらに、これら内外一対の把手９の上下端部には、それぞれ上下一対の第一、第二施錠装置１０、１１が設けられている。前記第一、第二施錠装置１０、１１はそれぞれシリンダー錠で構成されており、それぞれ屋内側に設けられるサムターン１０ａ、１１ａの操作、屋外側に設けられるキー穴１０ｂ、１１ｂへのキー（図示せず）操作によりデッドボルト１０ｃ、１１ｃが出没して、戸先側枠体３ｂに設けた係止受け孔３ｄに係脱することにより、ドア体２が施錠される施錠姿勢とドア体２の開放が許容される解錠姿勢とに変姿するように構成されている。また、前記内外一対の把手９に設けられる前記ラッチボルト９ａは、ドア体２に対して出没自在に連繋されており、ドア体２が全閉姿勢になることに伴い四周枠３の戸先側枠体３ｂに設けた係止受け孔３ｄに自動的に没入して係止（施錠）されるように構成されている。そして、ドア体２を開放操作する場合では、第一、第二施錠装置１０、１１の両者をそれぞれ解錠状態とし、把手９をそれぞれの操作方向へ操作（押し、引き操作）することにより、ラッチボルト９ａがドア体２側に没入して戸先側枠体３ｂの係止受け孔３ｄとの係止解除（解錠）がなされ、そのまま把手９を介してドア体２を操作方向へ押しやることで開放されるように構成されている。
【００１０】
一方、前記ドア体２の下端部はコア材７が介装されることはなく、ドア厚内が空洞となるように形成されている。また、ドア体２の下端面は、図２に示すように、内、外側面部５ａ、６ａの下端縁からそれぞれ近接する方向に折曲した内側折曲片５ｃと外側折曲片６ｃとにより構成されるが、これら内、外側折曲片５ｃ、６ｃの先端縁同士は、互いに所定間隙を存して水平方向に離間して形成されているとともに、左右方向四箇所において内、外側折曲片５ｃ、６ｃを切欠くことにより本発明の下側開口２ａが形成されている。さらに、ドア体２の下端面を構成する外側折曲片６ｃは内側折曲片５ｃより高位で折曲することにより、内、外側折曲片５ｃ、６ｃにより構成される下端面に段差部が形成されている。これによって、外側折曲片６ｃと四周枠３を構成する下枠体３ｃとの対向間隔（隙間）は、内側折曲片５ｃと下枠体３ｃとの対向間隔よりも広く確保されるように形成されている。
一方、ドア体２を構成する内側面部５ａの下端部であって、コア材７が介装されない空洞部に対向する部位には、左右方向に長い長方形状の内側開口５ｄが内側面部５ａの下端縁とのあいだに所定間隙を存する部位に位置して形成されている。前記内側開口５ｄは、該内側開口５ｄよりも小さい外形状をしたフード体５ｅにより覆蓋されるように構成されており、これによって、前記下端開口２ａと内側開口５ｄとフード体５ｅとのあいだの隙間Ｈ（以降、隙間Ｈを内側開口５ｄとして説明する）とが連通状となって、ドア体２の内外を通気するように構成されている。そして、下側開口２ａから内側開口５ｄに至る空気流路が本発明の通気機構を構成する通気路に相当しており、通気路用の開口が外部に対向する外側面部６ａ側に形成されることがなく、外部に露出する外側面部６ａの意匠を損なわない配慮がなされている。そして、本実施の形態では、前述したように、外側折曲片６ｃと下枠体３ｃとの対向間隔（隙間）が内側折曲片５ｃ部位に形成される隙間よりも広く確保されており、これによって、閉鎖性、防犯性を損なうことなくドア体２の外側からの空気を取り込みやすくなるように構成されている。
【００１１】
１２はドア体２の下端部に配される補強用の下側骨材であって、該下側骨材１２は、図２、５に示すように、ドア体２の内、外側面部５ａ、６ａの下端部位からドア体２の下端面となる内外折曲片５ｃ、６ｃに当接状に配されるよう略Ｕ字状に形成されているが、下側骨材１２の底片は、内外折曲片５ｂ、６ｂの形状に沿うべく内、外底片１２ａ、１２ｂと、これらの間に位置する段差部１２ｃとにより構成されている。そして、下側骨材１２の底片である内、外底片１２ａ、１２ｂ、段差部１２ｃを、下側開口２ａと同位置となる左右方向四箇所において切欠くことにより、四箇所の下側通気用開口１２ｄが前記四箇所の下端開口２ａと連通する状態で形成されている。
また、下側骨材１２の上方部位であって、ドア体２下端部のコア材７が収容されていない空洞部に、ベースフレーム１３が設けられている。前記ベースフレーム１３はドア体２のドア幅方向と略同様の横幅を有し、図２、３、５に示すように、内、外側面部５ａ、６ａの内側に当接状に設けられる内、外片部１３ａ、１３ｂを備え、左右方向に貫通する筒孔を有した角筒形状に形成されており、内面板５に沿う内片部１３ａには、内側開口５ｄに連通する内側通気用開口１３ｃが開設されている。さらに、下側骨材１２の内、外底片１２ａ、１２ｂに対向する下片部１３ｄには、下側開口２ａ、および、下側骨材１２の下側通気用開口１２ｄに略同位置となる左右方向四箇所に下側通気用開口１３ｅが切欠き形成されており、前記各開口２ａ、１２ｄに連通するように構成されている。
【００１２】
そして、前記ベースフレーム１３により囲繞されるドア厚内の空間に、本発明の通気機構を構成する切換え手段１４が収容されるが、前記切換え手段１４は、図２、５に示すように、ベースフレーム１３の下片部１３ｄに載置状に設けられる本体ケース１５を備えて構成されている。前記本体ケース１５は、図４、５に示すように、内外一対の内、外側片１５ａ、１５ｂ、上、下側片１５ｃ、１５ｄ、左、右側片１５ｅ、１５ｆを備え、ドア体２の左右幅よりは幅狭に設定された略直方体形状の空間を形成するように構成されている。そして、下側片１５ｄには、ベースフレーム１３、下側骨材１２とに形成されるそれぞれ四箇所の下側通気用開口１３ｃ、１２ｄとの対向部位に位置して下側通気用開口１５ｇが左右方向に長く形成されている。
一方、前記内側片１５ａの上下方向中間部には段差部１５ｈが形成されており、段差部１５ｈの上方部位は外側面部６ａ側に退避する状態でドア体２の内側開口５ｄに対向するように構成されている。前記段差部１５ｈの上方部位となる内側片１５ａには、内側開口５ｄ対向部位に位置して複数の内側通気用開口１５ｉ（本実施の形態では、左右方向に三つのものが上下方向に二列で、都合六つの内側通気用開口）が形成されている。尚、本実施の形態では、内側通気用開口１５ｉに防虫網１５ｊが設けられているが、該防虫網１５ｊは必要において設ければよく、設置箇所としては各開口２ａ、１２ｄ、１３ｃ、１５ｇ等、適宜箇所に設けてもよい。
これによって、ドア体２の内外の空気は、例えば室内側の気圧が低下して外部の空気が下側開口２ａから流入された場合では、ドア体２の下側開口２ａ、下側骨材１２、ベースフレーム１３、本体ケース１５の各下側通気用開口１２ｄ、１３ｃ、１５ｇから本体ケース１５内に流入し、本体ケース１５、ベースフレーム１３の各内側通気用貫通孔１５ｉ、１３ｃを経由して内側開口５ｄからドア体２の内部に流入するように構成されており、このようにしてドア体２の内外が連通して通気状態となるように構成されている。
【００１３】
そして、本体ケース１５の下端部であって、下側開口２ａと内側開口５ｄのあいだの位置、即ち、下側通気用開口１５ｇより上位で内側通気用開口１５ｉよりも下方となる位置に、通気路の通気を開閉する本発明の通気路開閉部材に相当する仕切り体１６が内装されている。前記仕切り体１６は、本体ケース１５の左右方向長さと略同長さの長尺板材で形成されており、短尺方向の板幅は、内、外側片１５ａ、１５ｂ下端部の対向間と略同様の長さに設定されている。前記仕切り体１６の左右両端部には、板幅、板厚中心と同芯状の支軸１６ａが左右方向外方に向けて突出しており、これら突出部が、本体ケース１５の左、右側片１５ｅ、１５ｆに回転自在に貫通支持されている。そして、左右の支軸１６ａは、左、右側片１５ｅ、１５ｆから外方に突出する貫通端部に、回転体１６ｂの軸芯部がそれぞれ一体的に外嵌固定されている。さらに、本体ケース１５の内、外側片１５ａ、１５ｂには仕切り体１６対向部位に位置して左右方向長尺状のストッパ片１６ｃ、１６ｄがそれぞれ一体的に設けられている。そして、仕切り体１６は、支軸１６ａを軸芯として回転体１６ｂとともに一体回転するように構成されており、内、外側片１５ａ、１５ｂの対向間に起立する開放姿勢となった状態では、下側開口２ａから内側開口５ｄに至る通気路（通気機構）を通気状態（連通状態、開放状態）として、ドア体２の内外を通気するように構成されている。また、仕切り体１６が水平状態となって内外端縁部がそれぞれストッパ片１６ｃ、１６ｄに当接する閉鎖姿勢となった状態では、下側開口２ａから内側開口５ｄに至る通気路（通気機構）の通気を遮断状態（閉鎖状態）として、ドア体２の内外の通気を遮断するように構成されている。そして、一方の回転体（本実施の形態では図４（Ｂ）において図面向かって右側の回転体）１６ｂの左右方向外側面には突起１６ｅが一体的に突出形成されている。
【００１４】
尚、本体ケース１５は、左右両端部にそれぞれドア体２に取付けるための左、右側取付け片１５ｋ、１５ｍが一体的に形成されている。これら取付け片１５ｋ、１５ｍは、それぞれ本体ケース１５の外側片１５ｂを延出することにより形成されており、各取付け片１５ｋ、１５ｍの左右方向外端縁には内側に向けて折曲された取付けプレート１５ｎ、１５ｐが形成されている。そして、右側取付け片１５ｍ側に突起１６ｅ付きの回転体１６ｂが配設されている。
また、内側開口５ｄに対して隙間Ｈを存して設けられるフード体５ｅは、本体フレーム１５の段差部１５ｈよりも上方の内側片５ａに固定されるように構成されており、内面板５と同材料の板材を用いて形成されていて内側からの意匠が損なわれないように配慮されている。
【００１５】
一方、ドア体２の第一、第二施錠装置１０、１１のうち、下側に設けられている第二施錠装置１１には、下方に延出する第一作動ロッド１１ｄが上下方向移動自在に設けられている。そして、第一作動ロッド１１ｄは、サムターン１１ａ、鍵孔１１ｂに挿し込まれたキーの操作により、施錠姿勢となることに連動して下側の施錠位置に下動し、解錠姿勢となることに連動して上側の解錠位置に上動するように構成されている。さらに、前記第一作動ロッド１１ｄの先端には、切換え手段１４を構成する本体ケース１５の右側取付け片１５ｍに近接する部位に達する第二作動ロッド１１ｅが着脱自在に連結され、第一作動ロッド１１ｄとともに一体に上下動するように構成されている。尚、１１ｆは第二作動ロッド１１ｅの上下動を移動案内するガイド体である。
【００１６】
また、本体ケース１５の右側取付け片１５ｍには、室内方に向けて突出する固定プレート１５ｒが設けられており、該固定プレート１５ｒの下端部には左側に向けて折曲する下側弾機受け片１５ｓが形成されている。そして、図４、６、７に示すように、固定プレート１５ｒに、第一、第二作動ロッド１１ｄ、１１ｅと仕切り体１６とを連動連結する作動プレート１８が上下方向移動自在に設けられている。
前記作動プレート１８は右側取付け片１５ｍに対して直交するプレート面を有して構成され、固定プレート１５ｒの弾機受け片１５ｓの上方部位に積層し、固定プレート１５ｒに対し、前記第一、第二作動ロッド１１ｄ、１１ｅと同様の移動幅（施錠位置と解錠位置とのあいだの移動幅）において上下方向にスライド移動自在に支持される支持片部１８ａを備えて構成されている。さらに、作動プレート１８は、支持片部１８ａの上端部から左側に向けて折曲形成され第二作動ロッド１１ｅの下端部が連繋される（離接自在に当接する）当接片１８ｂと、支持片部１８ａの下端部から左側に向けて折曲形成され、固定プレート１５ｒの下側弾機受け片１５ｓに対し所定間隙を存して上側から対向する上側弾機受け片１８ｃと、該上側弾機受け片１８ｃの左側端縁から下方に延出し、回転体１６ｂの右端面に摺動自在となる作動片１８ｄとを備えて構成されている。前記作動片１８ｄには、内側端縁から外側に向けて長孔１８ｅが開設されており、該長孔１８ｅに回転体１６ｂの突起１６ｅが孔長方向移動自在な状態で遊嵌している。そして、作動体１８が固定プレート１５ｒに対して所定の移動幅において上下動することに伴い、作動片１８ｄの長孔内に位置する突起１６ｅが長孔１８ｅの孔長方向（内外方向）に変位しながら所定の上側位置と下側位置とのあいだを変位し、これによって、回転体１６ｂが強制的に回転せしめられて仕切り体１６を前記開放姿勢と閉鎖姿勢とに回転変姿させるように構成されている。また、上側弾機受け片１８ｃと下側弾機受け片１５ｓとのあいだには付勢弾機１８ｆが介装されており、ガイドピン１８ｇにガイドされる状態で作動プレート１８を上方に向けて付勢することにより、当接片１８ｂが第二作動ロッド１１ｅに弾圧状に当接するとともに、突起１６ｅを上側位置（仕切り体１６の開放姿勢）に向けて付勢するように構成されている。
【００１７】
そして、第二施錠装置１１のデッドボルト１１ｃが係止孔３ｄに係止する第二施錠装置１１の施錠姿勢では、図６（Ａ）、図７（Ｂ）に示すように、第一、第二作動ロッド１１ｄ、１１ｅは付勢弾機１８ｆの付勢力に抗して作動プレート１８を下動せしめる状態で下側の施錠位置に位置しており、この状態において、通気機構の仕切り体１６は、突起１６ｅが下側位置に強制変位せしめられており、これによって、仕切り体１６が閉鎖姿勢に保持されて通気路を閉鎖し、通気機構を閉鎖状態（遮断状態）としてドア体２内外の通気が遮断されるように構成されている。これに対し、第二施錠装置１１のデッドボルト１１ｃが係止孔３ｄとの係止が解除される第二施錠装置１１の解錠姿勢では、図６（Ｂ）、図７（Ｃ）に示すように、第一、第二作動ロッド１１ｄ、１１ｅが上側の解錠位置に位置しており、この状態では、付勢弾機１８ｆの付勢力を受けて作動プレート１８が第一、第二作動ロッド１１ｄ、１１ｅの変位に追随して上動するように構成されている。これによって、通気機構の仕切り体１６は、突起１６ｅが上側位置に強制変位せしめられ、仕切り体１６が開放姿勢に保持されて通気路を開放し、通気機構を通気状態としてドア体２内外の通気がなされるように構成されている。このように、仕切り体１６は、第二施錠装置１１のサムターン１１ａ、鍵孔１１ｂに挿し込まれたキーの操作により開放姿勢、閉鎖姿勢の何れかに切換え保持されるように構成されている。
尚、仕切り体１６と第二施錠装置１１とは、前述したように第二施錠装置１１の施錠操作に伴い仕切り体１６を閉鎖姿勢に保持し、解錠操作に伴い開放姿勢に保持する構成であればどのような連繋構成であってもよい。
【００１８】
このように構成された通気機構付きのドア装置１において、ドア体２を開放操作する場合では、ドア体２により仕切られる室内外（内、外側面部５ａ、６ａに対向する空間同士の間）に差圧が生じている、いないにかかわらず、第一、第二施錠装置１０、１１を解錠姿勢に操作し、その後、把手９を把持して押し、あるいは、引き操作して開放することになるが、このとき、第二施錠装置１１は通気機構に連繋されており、第二施錠装置１１を解錠姿勢にすることにより、ドア体２が解錠状態となるとともに、通気機構が通気状態となって室内外の通気がなされるように構成されている。そして、室内外に気圧差が発生している場合では、第一、第二施錠装置１０、１１の解錠操作から把手９を把持するまでのあいだに生じる時間差が、通気機構によりドア体２の室内外を通気するのに充分な時間となって、室内外の差圧が解消されるように構成されている。この結果、室内外に差圧が生じている場合であっても通常の解錠操作を行うことでドア体２を円滑、かつ、軽快に開放操作（開放動作）することができ、操作性のよいドア装置１となるように構成されている。
そして、ドア体２に設けられた通気機構は、ドア体２の外部からは第二施錠装置１１を解錠操作することにより切換えられるものであり、これによって、悪戯されることがなく防犯性を確保できるように構成されている。また、通気機構は、第二施錠装置１１の解錠操作によるワンアクションの操作により仕切り体１６を開放姿勢または閉鎖姿勢の何れかに切換えて保持されるように構成されており、これによって、操作性に優れるように構成されている。
尚、１９は切換え手段１４の下端部であって、仕切り体１６の下方に設けられた防火ダンパであって、該防火ダンパ１９は、予め設定された高温になることに伴い、本体ケース１５の内、外側片１５ａ、１５ｂの対向間を閉鎖して、ドア体２の通気路を強制閉鎖するように構成されている。
【００１９】
ここで、本発明が実施された通気機構は、通気機構の切換え手段１４と、該切換え手段を切換える操作具である第二施錠装置１１とが上下方向に離れた位置となっている。このため、このようなドア体２を組立てるには、第一作動ロッド１１ｄ付きの第二施錠装置１１と切換え手段１４とをそれぞれ個別に組込み、該組込んだ状態で第一作動ロッド１１ｄと切換え手段１４の作動プレート１８とを第二作動ロッド１１ｅを用いて連動連結するように構成されている。この場合に、切換え手段１４は、予め仕切り体１６等の部材が組込まれた状態として、ドア体２の戸先側端面５ｂに開設された貫通孔を介してドア厚内の空洞部に挿入されるように構成されており、本体ケース１５の左右端部に設けられている取付けプレート１５ｎ、１５ｐを、ドア体２の戸尻側端面と、戸先側端面５ｂに開設された貫通孔を覆蓋するべく当てがわれるプレート体２ｂとに固定することにより、ドア厚内に収容されるように構成されている。
一方、上下方向に長い第二作動ロッド１１ｅは、予めドア体２内に設けたガイド体１１ｆを用いて仮組込みするように構成されており、第二施錠装置１１と切換え手段１４とが組込まれた段階で、第二作動ロッド１１ｅの上端部を第一作動ロッド１１ｄに連結するとともに、第二作動ロッド１１ｅの下端部を、付勢弾機１８ｆにより上方に向けて付勢された作動プレート１８の当接片１８ｂに当接させることにより、第一作動ロッド１１ｄと作動プレート１８とが弾圧状に連動連結されるように構成されている。この作動プレート１８と第二作動ロッド１１ｅとの連結工程において、作動プレート１８は付勢弾機１８ｆにより第二作動ロッド１１ｅとの連結部側に付勢されているため、作動プレート１８を付勢弾機１８ｆの付勢力に抗して下方に押しやり、第二作動ロッド１１ｅの下端部を当接片１８ｂの上方に位置せしめ、その状態から付勢弾機１８ｆの付勢力を作動プレート１８に作用させることで、第二作動ロッド１１ｅに対して当接片１８ｂが弾圧状に当接し、これによって、第二作動ロッド１１ｅと当接片１８ｂとが離接自在な組込み状態となるように構成されており、このように組込むことにより、通気機構を容易にドア体２に組込めるように構成されている。
また、第二作動ロッド１１ｅ（第二施錠装置１１側部材）と作動プレート１８（切換え手段１４側部材）との連繋が離接自在な当接状態であることにより、施錠装置側部材と切換え手段側部材とを容易に分割することができ、例えば切換え手段１４の交換棟のメンテナンスが容易にできるように構成されている。さらに、仕切り体１６が閉鎖姿勢のまま不作動になって作動プレート１８が下動した位置に保持されたような場合に、第二作動ロッド１１ｅが当接片１８ｂから離間する状態で上動して、第二施錠装置１１を解錠状態にすることができ、切換え手段１４の不作動で第二施錠装置１１が施錠されたままとなってしまうような不具合がないように構成されている。
尚、作動プレート１８の当接片１８ｂと第二作動ロッド１１ｅとを一体的な連結とすることも可能であり、この場合では、付勢弾機１８ｆを不要とすることができる。
【００２０】
叙述の如く構成された本形態において、ドア装置１の通気機構は、ドア体２の内、外側面部５ａ、６ａに対向する空間同士（室内外）を通気するべく開設された下側開口２ａと内側開口５ａとにより構成される通気路と、該通気路を開放状態、閉鎖状態の何れかに保持する切換え手段１４とにより構成されている。そして、前記切換え手段１４は、ドア体２のドア厚内に形成された空洞部に収容され、切換え手段１４を切換える操作具として、ドア体２に複数設けられる第一、第二施錠装置１０、１１のうちの第二施錠装置１１が兼用されており、該第二施錠装置１１の操作に連繋して通気路を開閉何れかの状態に切換え保持することができる。このため、ドア体２を通気状態、遮断状態にするための操作とともに第二施錠装置１１を施錠−解錠姿勢にする操作をワンアクションにより同時に行なうことができて、操作性に優れる。
また、切換え手段１４はドア体２の外部からは第二施錠装置１１を施解錠するためのキーを保持している者のみが操作することができて、悪戯によって切換え手段１４が切換えられてしまうような不具合もなく、防犯性に優れる。
さらに、ドア体２を開放するための通常の操作、即ち、第一、第二施錠装置１０、１１を解錠操作して、その後、ドア体２の把手９を把持するという操作を行なうことにより、解錠操作からドア体１が開放されるまでのあいだの時間差により室内外に生じた差圧を解消して、円滑、かつ、軽快にドア体２を開放操作することができる。この結果、従来の操作ハンドルに通気機構が連繋されたもののように、通気機構が通気状態となるのと同時にドア体の開放操作をした場合では差圧解消が十分でなくドア体の開放操作が重くなってしまうような不具合が確実に防止され、室内外に差圧が生じている、いないにかかわらず、通常のドア体２の開放操作を行なうことにより、ドア体２を円滑、かつ、軽快に開放することができる。
さらには、ドア体２は、第一施錠装置１０を施錠した状態で第二施錠装置１１を解錠することにより、ドア体２を施錠した状態において、切換え手段１４を通気状態、遮断状態の何れの状態にもすることができ、防犯性を損なうことなくドア体２の内外の通気を行なうことができて、高温となる季節に室内の通風ができるという利点もある。
【００２１】
このように、本発明が実施されたものにあっては、通気機構の切換え手段１４は、通気路を開閉する仕切り体１６と、該仕切り体１６を通気路の開放をする開放姿勢または閉鎖する閉鎖姿勢の何れかの姿勢に切換える作動プレート１８とを備えて構成し、作動プレート１８に、第二施錠装置１１の施錠−解錠操作に伴い上下方向に変位する第一、第二作動ロッド１１ｄ、１１ｅを連繋する構成とするとともに、作動プレート１８を、付勢弾機１８ｆにより第二作動ロッド１１ｅとの連繋部に向けて付勢することにより、第二作動ロッド１１ｅと作動プレート１８との連繋が単に当接するだけの離接自在な連繋状態となっている。この結果、作動プレート１８に第一作動ロッド１１ｄ側部材である第二作動ロッド１１ｅを直接一体化する必要がなく、ドア体２に第一作動ロッド１１ｄ付きの第二施錠装置１１と切換え手段１４とを個別に組込んだ状態で、これらをドア厚内において容易に連動連結させることができ、組込み作業が容易になるばかりでなく、例えば切換え手段１４の交換が必要になったような場合に、容易に交換作業ができるという利点もある。
そのうえ、仕切り体１６が閉鎖姿勢のまま不作動になって作動プレート１８が下動した位置に保持されたような場合に、第二作動ロッド１１ｅが当接片１８ｂから離間する状態で上動して、第二施錠装置１１を解錠状態にすることができ、切換え手段１４の不作動で第二施錠装置１１が施錠されたままとなってしまうような不具合を確実に防止できる。
【００２２】
ドア体２の内外の差圧を操作性よく解消して軽快なドア体２の開放操作ができるものであるが、このものでは、通気機構を構成する通気路がドア体２の下端面を構成する内、外側折曲片５ｃ、６ｃに開設される下側開口２ａと、内側面部５ａの下端部に開設される内側開口５ｄとにより構成され、切換え手段１４を構成する通気路開閉部材である仕切り体１６が、ド下側開口２ａと内側開口５ａとのあいだに設けられているため、ドア体２の外部に露出する外側面部６ａに開口が形成されることがなく、意匠性に優れたドア体２とすることができる。
【００２３】
さらに、このものでは、ドア体２の下端面が、内外方向中間部に段差部が形成され、段差部の外側部位となる外側折曲片６ｃと床側面となる下枠体３ｃとの対向間隔が、内側折曲片５ｃと下枠体３ｃとの対向間隔よりも広くなっているので、ドア体２の外部からの空気を内部に取り込みやすく、通気機構による通気が一層促進された差圧解消に要する時間をさらに短縮することができる。
【００２４】
尚、本発明は前記実施の形態に限定されないことは勿論であって、図８に示す第二の実施の形態のようにすることもできる。
前記第二の実施の形態において、通気機構付きのドア体２０は、内外一対の内、外面板２１、２２で構成し、下側開口（図示せず）と内側開口２１ａとにより通気路が構成され、これら下側開口と内側開口２１ａとのあいだに位置して切換え手段２３の仕切り体（図示せず）が設けられている。そして、切換え手段２３を操作する操作具を、ドア体２０に設けられた第一、第二施錠装置２４、２５のうちの第二施錠装置２５側としたこと等、基本構成は前記第一の実施の形態と同様と構成となっており、前記第一の実施の形態と同様の効果を得られるように構成されている。そして、このものでは、内側開口２１ａに対し四周回りに所定間隙Ｈを存して塞ぐフード体２１ｂに、複数の貫通孔２１ｃが開設されている。これによって、第二の実施の形態の通気機構においては、内側開口２１ａ側の空気流量を多くすることができて、ドア体２０内外の通気が一層促進されて、差圧解消時間をさらに短縮できる。
【００２５】
さらに、図９に示す第三の実施の形態のようにすることもできる。
前記第三の実施の形態において、第二施錠装置２６に設けられる第一作動ロッド２６ａを、第二施錠装置２６の施錠操作に伴い上動し、解錠操作に伴い下動するように設けて、第一作動ロッド２６ａに連結された第二作動ロッド２６ｂが切換え手段２７の作動プレート２７ａに連動連結されている。そして、第二施錠装置２６の施錠状態では、図９（Ａ）に示すように、付勢弾機２７ｂの付勢力を受けて上方に向けて付勢された作動プレート２７ａが仕切り体２７ｃを閉鎖姿勢とし、第二施錠装置２６の解錠状態では、図９（Ｂ）に示すように、付勢弾機２７ｂの付勢力に抗して作動プレート２７ａが仕切り体２７ｃを開放姿勢とするように構成されている。そして、このようにした場合では、仕切り体２７ｃが付勢弾機２７ｂの付勢力を受ける状態で閉鎖姿勢となっているため、仕切り体２７ｃが図示しないストッパ片に弾圧状に当接して確実な遮断がなされるという利点がある。
【００２６】
また、図１０に示す第四の実施の形態のようにすることもできる。
前記第四の実施の形態において、基本構成は前記第一の実施の形態と同様であり、同様の部材構成については第一の実施の形態と同様の符号を付すことにより説明を省略する。このものでは、第二施錠装置２８から延出する第一作動ロッド２８ａに連結される第二作動ロッド２８ｂには、中間部に位置して非常用付勢弾機２９が介装されている。前記非常用付勢弾機２９は、切換え手段１４の作動プレート１８を付勢する付勢弾機１８ｆの付勢力よりも大きい付勢力に設定されている。そして、通常の使用状態では、第二施錠装置２８の施錠操作に伴い第一、第二作動ロッド２８ａ、２８ｂが下動した場合では、非常用付勢弾機２９が干渉することはなく、付勢弾機１８ｆの付勢力に抗して作動プレート１８を下動せしめて仕切り体１６を閉鎖姿勢とし、第二施錠装置２８の解錠操作に伴い第一、第二作動ロッド２８ａ、２８ｂが上動した場合では、付勢弾機１８ｆの付勢力を受けて作動プレート１８を上動せしめて仕切り体１６を開放姿勢とするように構成されている。
これに対し、不測の事態が生じて切換え手段１４の仕切り体１６が通気姿勢のまま不作動になって、作動プレート１８が上動した位置に保持されてしまったような場合では、第二施錠装置２８の施錠操作に伴い、第一作動ロッド２８ａと、第二作動ロッド２８ｂの非常用付勢弾機２９の上側部位が、非常用付勢弾機２９の付勢力に抗して下動することで、第二施錠装置２８を施錠状態にすることができるように構成されている。
また、仕切り体１６が閉鎖姿勢のまま不作動になって作動プレート１８が下動した位置に保持された場合では、前述したように、第二作動ロッド２８ｂが作動プレート１８の当接片１８ｂから離間する状態で上動して、第二施錠装置２８を解錠状態にすることができるように構成されている。これによって、非常用付勢弾機２９を設けることにより、切換え手段１４にどのような不測の事態が発生しても、第二施錠装置２８の施錠−解錠の機能を損なうことがないようにできる。
因みに、非常用付勢弾機は作動ロッドの中間部であって、作動プレートに至るまでのどの部位に介装されていてもよく、要は、作動プレートが上位に保持されて作動ロッドの上下方向の変位が規制されるような場合に、作動ロッドの施錠装置側の部位の上下方向変位を許容して施錠装置の操作が損なわれないような構成であればどのような構成であってもよい。
尚、通気機構の通気路を、ドア体の上端面に開設される上側開口と内側面部に開設される内側開口とにより構成し、切換え手段をドア体の上部に設ける構成としてもよく、この場合に、把手の上方に設けられる施錠装置に上方に延出する作動ロッドを設け、該作動ロッドと切換え手段とを連繋する構成とすることにより構成の簡略化を図れる。
また、本発明は、ドア装置として、前記実施の形態のように外開き式のもの以外に、内開き式のドア装置に対しても採用することができる。
さらに、切換え手段としては、仕切り体の開放姿勢、閉鎖姿勢への変姿を、施錠装置の解錠操作、施錠操作に伴い作動する電気的な機構により行う構成としてもよい。
【産業上の利用可能性】
【００２７】
本発明は、建築物、特に、高気密、高断熱仕様の建築物の外部への出入り口部に設けられるドア装置として利用することができる。
【符号の説明】
【００２８】
１  ドア装置
２  ドア体
２ａ  下側開口
３  四周枠
３ｃ  下枠体
５  内面板
５ａ  内側面部
５ｃ  内側折曲片
５ｄ  内側開口
５ｅ  フード体
６  外面板
１０  第一施錠装置
１１  第二施錠装置
１１ｄ  第一作動ロッド
１１ｅ  第二作動ロッド
１３  ベースフレーム
１４  切換え手段
１５  本体ケース
１６  仕切り体
１６ｂ  回転体
１６ｅ  突起
１８  作動プレート
１８ｄ  作動片
１９  防火ダンパ
【図１】
0005605948.tif 000002
【図２】
0005605948.tif 000003
【図３】
0005605948.tif 000004
【図４】
0005605948.tif 000005
【図５】
0005605948.tif 000006
【図６】
0005605948.tif 000007
【図７】
0005605948.tif 000008
【図８】
0005605948.tif 000009
【図９】
0005605948.tif 000010
【図１０】
0005605948.tif 000011